(57)【要約】【課題】EPONシステムでOLT側から遠隔でONUの設定値を自動設定する技術を提供する。【解決手段】OLT 20では、Auto Discovery完了後に接続が可能となったONU 10のONU識別子を識別するONU識別部21と、ONU識別子とONU識別子に対応したONU設定値の情報が予め格納されたONU管理データベース部22と、ONU識別部21で識別したONU識別子に対応したONU設定値の情報をONU管理データベース部22から読み出しを行い、ONU遠隔自動設定開始指示を行うと共に、ONU遠隔自動設定処理が正常終了した通知を受けた場合にONU認証指示を行い、ONU遠隔自動設定処理が異常終了した通知を受けた場合に該ONUの自動設定を終了するように制御するONU設定制御部23と、前記ONU遠隔自動設定開始指示によりONU遠隔自動設定処理を開始するONU遠隔自動設定部24と、前記ONU認証指示によりONU認証を実施するONU認証処理部25とを備える。【選択図】図７
2008118296.tif 000002
【特許請求の範囲】
【請求項１】
一つのOLTに一つ又は複数のONUが接続されるEPONシステムにおいてOLT側から遠隔でONUの設定値を自動設定する方法であって、OLTでは、
(1) Auto Discovery完了後に接続が可能となったONUのONU識別子を識別する識別プロセスと、
(2) ONU識別子およびONU識別子に対応したONU設定値A1〜AN（NはONU設定項目数）の情報が予め格納されたONU管理データベースに、前記識別プロセスで識別したONU識別子が登録されているかを確認し、登録されている場合に該ONU識別子に対応したONU設定値A1〜ANの情報を前記ONU管理データベースから読み出しを行い、該ONU設定値A1〜ANの情報を用いてONU遠隔自動設定開始指示を行う制御プロセスと、
(3) 前記ONU遠隔自動設定開始指示によりONU遠隔自動設定処理を開始するとともに、ONU遠隔自動設定処理が終了した時に該処理結果を前記制御プロセスへ通知する自動設定プロセスと、
(4) 前記自動設定プロセスからONU遠隔自動設定処理が正常終了した通知を受けた場合にONU認証指示を行い、ONU遠隔自動設定処理が異常終了した通知を受けた場合にONU認証指示を行わずに該ONUの自動設定を終了するように制御する制御プロセスと、
(5) 前記ONU認証指示によりONU認証を実施する認証プロセスと、
を有し、前記(1)〜(5)の各プロセスを順次実行することでOLT側から遠隔でONU設定値A1〜ANの自動設定を行うことを特徴とするONU遠隔自動設定方法。
【請求項２】
一つのOLTに一つ又は複数のONUが接続されるEPONシステムにおいてOLT側から遠隔でONUの設定値を自動設定する方法であって、OLTでは、
(1) Auto Discovery完了後に接続が可能となったONUのONU識別子を識別する識別プロセスと、
(2) ONU識別子およびONU識別子に対応したONU設定値A1〜AN（NはONU設定項目数）の情報とONUサービス状態情報とが予め格納されたONU管理データベースに、前記識別プロセスで識別したONU識別子が登録されているかを確認し、登録されている場合に該ONU識別子に対応したONU設定値A1〜ANの情報を前記ONU管理データベースから読み出しを行い、該ONU設定値A1〜ANの情報を用いてONU遠隔自動設定開始指示を行う制御プロセスと、
(3) 前記ONU遠隔自動設定開始指示によりONU遠隔自動設定処理を開始するとともに、ONU遠隔自動設定処理が終了した時に該処理結果を前記制御プロセスへ通知する自動設定プロセスと、
(4) 前記自動設定プロセスからONU遠隔自動設定処理が正常終了した通知を受けた場合に前記ONU管理データベースに格納された該ONUのONUサービス状態情報を「サービス中」に設定するとともにONU認証指示を行い、ONU遠隔自動設定処理が異常終了した通知を受けた場合に前記ONU管理データベースに格納された該ONUのONUサービス状態情報を確認し、該ONUサービス状態情報が「サービス中」の場合はONU認証指示を行い、「未サービス」の場合はONU認証指示を行わずに該ONUの自動設定を終了するように制御する制御プロセスと、
(5) 前記ONU認証指示によりONU認証を実施する認証プロセスと、
を有し、前記(1)〜(5)の各プロセスを順次実行することでOLT側から遠隔でONU設定値A1〜ANの自動設定を行うことを特徴とするONU遠隔自動設定方法。
【請求項３】
一つのOLTに一つ又は複数のONUが接続されるEPONシステムにおいて、OLT側では、Auto Discovery完了後に接続が可能となったONUのONU識別子を識別するONU識別部と、ONU識別子およびONU識別子に対応したONU設定値A1〜AN（NはONU設定項目数）の情報が予め格納されたONU管理データベース部と、前記ONU識別部で識別したONU識別子が前記ONU管理データベース部に登録されているかを確認し、登録されている場合に該ONU識別子に対応したONU設定値A1〜ANの情報を前記ONU管理データベース部から読み出しを行い、該ONU設定値A1〜ANの情報を用いてONU遠隔自動設定開始指示を行うとともに、ONU遠隔自動設定処理が正常終了した通知を受けた場合にONU認証指示を行い、ONU遠隔自動設定処理が異常終了した通知を受けた場合にONU認証指示を行わずに該ONUの自動設定を終了するように制御するONU設定制御部と、前記ONU遠隔自動設定開始指示によりONU遠隔自動設定処理を開始するとともに、ONU遠隔自動設定処理が終了した時に該処理結果を前記ONU設定制御部へ通知するONU遠隔自動設定部と、前記ONU認証指示によりONU認証を実施するONU認証処理部とを備え、OLT側から遠隔でONU設定値A1〜ANの自動設定を行うことを特徴とするONU遠隔自動設定システム。
【請求項４】
一つのOLTに一つ又は複数のONUが接続されるEPONシステムにおいて、OLT側では、Auto Discovery完了後に接続が可能となったONUのONU識別子を識別するONU識別部と、ONU識別子およびONU識別子に対応したONU設定値A1〜AN（NはONU設定項目数）の情報とONUサービス状態情報とが予め格納されたONU管理データベース部と、前記ONU識別部で識別したONU識別子が前記ONU管理データベース部に登録されているかを確認し、登録されている場合に該ONU識別子に対応したONU設定値A1〜ANの情報を前記ONU管理データベース部から読み出しを行い、該ONU設定値A1〜ANの情報を用いてONU遠隔自動設定開始指示を行うとともに、ONU遠隔自動設定処理が正常終了した通知を受けた場合に前記ONU管理データベースに格納された該ONUのONUサービス状態情報を「サービス中」に設定した後、ONU認証指示を行い、ONU遠隔自動設定処理が異常終了した通知を受けた場合に前記ONU管理データベースに格納された該ONUのONUサービス状態情報を確認し、該ONUサービス状態情報が「サービス中」の場合はONU認証指示を行い、「未サービス」の場合はONU認証指示を行わずに該ONUの自動設定を終了するように制御するONU設定制御部と、前記ONU遠隔自動設定開始指示によりONU遠隔自動設定処理を開始するとともに、ONU遠隔自動設定処理が終了した時に該処理結果を前記ONU設定制御部へ通知するONU遠隔自動設定部と、前記ONU認証指示によりONU認証を実施するONU認証処理部とを備え、OLT側から遠隔でONU設定値A1〜ANの自動設定を行うことを特徴とするONU遠隔自動設定システム。
【発明の詳細な説明】
【技術分野】
【０００１】
本発明は、光アクセスシステムであるEPON(Ethernet-Passive Optical Network)システムにおいて、OLTから遠隔でONUの自動設定を行う技術に関するものである。
【背景技術】
【０００２】
【非特許文献１】「IEEE Standards 802.3ah-2004」
【０００３】
EPONシステムは、IEEE802.3ahにて物理インタフェース、OLT-ONU間の通信制御プロトコル等が標準化されたシステムであり、１つの加入者線端局装置(OLT：Optical Line Terminal)に対して複数の加入者線終端装置(ONU：Optical Network Unit)が光スプリッタを用いた分岐光ファイバ伝送路を介して接続され、通信を行うシステムである。OLTは電話局等に設置される局内装置であり、ONUおよび上位ネットワークとの通信を行うとともに、ONUの監視制御を行う機能を有する。また、ONUはユーザの宅内やビル構内に設置される宅内装置であり、OLTおよびユーザ端末との通信を行う機能を有する。図１にEPONシステムの接続形態例を示す。1はOLT、2a〜2cはONU、3は光スプリッタ、4は上位ネットワーク、5a〜5cはユーザ端末である。また、６は監視制御端末であり、OLTに接続されOLTおよびONUの監視制御を実施する。
【０００４】
IEEE802.3ahの標準仕様については非特許文献１にて規定されている。 IEEE802.3ah標準仕様では、ONUが光ファイバに接続されると、MPCP Discovery およびOAM Discoveryシーケンスを実行するAuto Discovery機能によりOLT-ONU間の接続が行われ、接続が完了すると通信を開始することが可能になる。
【０００５】
IEEE802.3ah 標準仕様では、ONU接続においてAuto Discoveryにより通信を開始することが可能となるプラグアンドプレイ形式となっている。しかしながら、このプラグアンドプレイ形式の接続シーケンスは構内LAN等での使用時には非常に有効であるが、アクセスシステムでは、悪意のあるユーザがONUを勝手に接続して、許可されていない通信を行う可能性があるため、アクセスシステムとしての使用には不向きである。そこで一般的なEPONシステムでは、Auto Discovery の終了後、ONU認証処理を実施し、接続されたONUが許可されているものかどうかを確認後、通信を開始する方法を取る。ONU認証処理方法としてはIEEE802.1X認証を使用する方法等がある。図２にONU接続から通信開始までの一般的な制御シーケンスを記載する。
【０００６】
ONUではブリッジ機能、優先制御機能、UNI機能などの各種機能を搭載していることが一般的である。これら機能は、ONUが設置されるユーザの加入するサービスに応じて、設定を変更することがある。例えば、UNIを10/100BASE-Tとするか100BASE-TXとするか、半二重接続とするか全二重接続とするか、優先制御のクラス分けをどのようにするか等の設定を加入サービスに従って実施することとなる。ここではこれら設定変更が可能な機能をONU設定項目と呼ぶこととする。
【０００７】
ONU設定項目の設定値を変更する方法としては、ユーザ自らが設定値を変更する方法と、遠隔からオペレータが設定値を変更する方法と、ONU設置作業者が現地にて設定値を変更する方法とがある。
(1) ユーザ自らが設定値を変更する方法では、ユーザが自分の加入しているサービスの設定に従ってONU設定項目の設定値を設定する。
(2) 遠隔からオペレータが設定値を変更する方法では、ONUが接続されたことを確認した後にオペレータがオペレーションシステムを使用してONU設定項目の設定値を変更する。
(3) 現地にてONU設置作業者が設定値を変更する方法では、ONU設置作業者がONUに何らかの方法でアクセスを実施し、ONU設定項目の設定値を変更する。
【発明の開示】
【発明が解決しようとする課題】
【０００８】
ONU設定項目の設定値を変更する方法として上記で説明した(1)〜(3)の方法があるが、(1)の方法では、設定値はユーザ主導になり、ユーザが自分の加入しているサービスの設定に従わずに自分に有利となるような設定値を設定することを防ぐことができない。
【０００９】
また(2)の方法では、ONUの設置工事を実施する時にONU設置作業者と遠隔から設定値変更を実施するオペレータの最低2名が必要となる。更に、ONU設置作業時にONU設置作業者はオペレータに連絡を取り、オペレータがONU設定を変更したことを確認した後、ONU設置作業が終了となるため、ONU設置作業時間が長くなることになる。
【００１０】
また(3)の方法では、ユーザが設定値を変更できないように特殊な方法にて設定値を変更する必要がある。この場合は、ONUに特殊なインタフェースもしくはソフトを搭載する必要があり、ONUの価格アップ要因となる。また悪意のあるユーザが設定変更を実施することを確実に防止することは容易ではない。
【００１１】
そこで上記問題を解決するため、OLTにONUを特定するONU識別子とそのONUが収容されるユーザのサービスに対応したONUの設定値を予め登録しておき、ONUの接続とともに発生するAuto Discoveryにおいて接続されたONUのONU識別子を確認し、当該ONU識別子がOLTに登録されていた場合はそれに対応する設定値を自動的にONUに設定する方法（ONU遠隔自動設定方法）が有効である。この方法およびこの方法を用いたシステムについては、現在特許出願中である。
【００１２】
ONU遠隔自動設定を実施する場合は、Auto DiscoveryとONU認証の間で実施することが有効である。なぜなら、Auto Discovery 前はOLTとONUが接続されていないため、ONUに設定を実施することが出来ないとともに、ONU認証後では実際の通信が開始されているためONU遠隔自動設定が終了するまではONU不定状態で通信サービスが提供されることになるためである。図３にAuto Discovery からONU認証までの制御シーケンスを記載する。
【００１３】
図12を用いてONU遠隔自動設定シーケンスを説明する。OLTではAuto Discovery によりONUが接続されると、ONU識別子を識別する。ONU識別子としては、Auto Discovery時の送受信フレーム内に格納されるONUの保持するONUのシリアル番号等のONU固有番号を用いることとなる。OLTでは続いて該ONU識別子がONU管理データベースに格納されているかを確認する。ここで、該ONU識別子がONU管理データベース部に格納されていない場合は、ONU遠隔自動設定シーケンスは実施しない。該ONU識別子がONU管理データベースに格納されている場合は、ONU設定項目１から順次、ONUに設定することとなる。
ONU管理データベースの例を図10に示す。図10を例にすると、ONU設定項目１からONU設定項目Nまでを順次ONUに設定することとなる。ONUへの設定は、IEEE802.3ahにて規定されている拡張OAM等を用いる方法がある。ONUでは、OLTより送信されたONU設定項目の設定を順次実施する。
OLTでは、全てのONU設定項目の設定を終了した時点でONU遠隔自動設定シーケンスを終了し、ONU認証処理へ移行する。ONU認証処理をONU遠隔自動設定シーケンスの後に実施することにより、実際の通信開始前にONUの設定を実施することが可能となる。なお、図12ではａという変数を用いて、ONU設定項目の設定が順次実施されるように記載している。
【００１４】
また、ONU遠隔自動設定は必ずしもONU設置工事時にのみしか使えないものではない。例えば、既にサービスを実施しているユーザのONUについて、ユーザのサービス変更に伴いONUの設定値を変更することも予想される。この場合は、ONU管理データベース内にある該ユーザのONUの設定値を変更することにより、自律的にOLTがONU設定値を変更する方法となる。図４にこの場合の処理シーケンスを記載する。また、図13にONU設定値を変更した場合の処理フローを追加したものを記載する。
【００１５】
しかし前記の方法では、ONU設置工事時にONU設置作業者がONU設定も含めたONU設置作業が正常に終了したかどうかを確認することが困難である。確認する手段の１つとしてONU設定が正常に終了しなかった場合に警報を監視制御端末に発出する方法があるが、警報はONU設置作業者には見えないため、オペレータに連絡して確認してもらう必要が生じ、オペレータが介在することなくONU設置工事を完了するというONU遠隔自動設定機能の有効性が損なわれる。
【００１６】
本発明は、上記問題を解決するため、ONU遠隔自動設定処理途中もしくは終了時点で、設定処理異常となった場合に、ONU認証処理を実施しないようにすることで、ONU設置作業者がオペレータを介在することなくONU設定の正常終了を確認できる方法を提供することを目的とする。
【課題を解決するための手段】
【００１７】
上記目的を達成するため、請求項１に記載のONU遠隔自動設定方法は、一つのOLTに一つ又は複数のONUが接続されるEPONシステムにおいてOLT側から遠隔でONUの設定値を自動設定する方法であって、OLTでは、
(1) Auto Discovery完了後に接続が可能となったONUのONU識別子を識別する識別プロセスと、
(2) ONU識別子およびONU識別子に対応したONU設定値A1〜AN（NはONU設定項目数）の情報が予め格納されたONU管理データベースに、前記識別プロセスで識別したONU識別子が登録されているかを確認し、登録されている場合に該ONU識別子に対応したONU設定値A1〜ANの情報を前記ONU管理データベースから読み出しを行い、該ONU設定値A1〜ANの情報を用いてONU遠隔自動設定開始指示を行う制御プロセスと、
(3) 前記ONU遠隔自動設定開始指示によりONU遠隔自動設定処理を開始するとともに、ONU遠隔自動設定処理が終了した時に該処理結果を前記制御プロセスへ通知する自動設定プロセスと、
(4) 前記自動設定プロセスからONU遠隔自動設定処理が正常終了した通知を受けた場合にONU認証指示を行い、ONU遠隔自動設定処理が異常終了した通知を受けた場合にONU認証指示を行わずに該ONUの自動設定を終了するように制御する制御プロセスと、
(5) 前記ONU認証指示によりONU認証を実施する認証プロセスと、
を有し、前記(1)〜(5)の各プロセスを順次実行することでOLT側から遠隔でONU設定値A1〜ANの自動設定を行うことを特徴とする。なお前記(2)の制御プロセスで該ONU識別子がONU管理データベースに登録されていない場合は、以降の(3)〜(5)のプロセスを実行しないように制御し、該ONUの自動設定を終了する。
【００１８】
請求項２に記載のONU遠隔自動設定方法は、一つのOLTに一つ又は複数のONUが接続されるEPONシステムにおいてOLT側から遠隔でONUの設定値を自動設定する方法であって、OLTでは、
(1) Auto Discovery完了後に接続が可能となったONUのONU識別子を識別する識別プロセスと、
(2) ONU識別子およびONU識別子に対応したONU設定値A1〜AN（NはONU設定項目数）の情報とONUサービス状態情報とが予め格納されたONU管理データベースに、前記識別プロセスで識別したONU識別子が登録されているかを確認し、登録されている場合に該ONU識別子に対応したONU設定値A1〜ANの情報を前記ONU管理データベースから読み出しを行い、該ONU設定値A1〜ANの情報を用いてONU遠隔自動設定開始指示を行う制御プロセスと、
(3) 前記ONU遠隔自動設定開始指示によりONU遠隔自動設定処理を開始するとともに、ONU遠隔自動設定処理が終了した時に該処理結果を前記制御プロセスへ通知する自動設定プロセスと、
(4) 前記自動設定プロセスからONU遠隔自動設定処理が正常終了した通知を受けた場合に前記ONU管理データベースに格納された該ONUのONUサービス状態情報を「サービス中」に設定するとともにONU認証指示を行い、ONU遠隔自動設定処理が異常終了した通知を受けた場合に前記ONU管理データベースに格納された該ONUのONUサービス状態情報を確認し、該ONUサービス状態情報が「サービス中」の場合はONU認証指示を行い、「未サービス」の場合はONU認証指示を行わずに該ONUの自動設定を終了するように制御する制御プロセスと、
(5) 前記ONU認証指示によりONU認証を実施する認証プロセスと、
を有し、前記(1)〜(5)の各プロセスを順次実行することでOLT側から遠隔でONU設定値A1〜ANの自動設定を行うことを特徴とする。なお前記(2)の制御プロセスで該ONU識別子がONU管理データベースに登録されていない場合は、以降の(3)〜(5)のプロセスを実行しないように制御し、該ONUの自動設定を終了するように制御する。
【００１９】
請求項３に記載のONU遠隔自動設定システムは、一つのOLTに一つ又は複数のONUが接続されるEPONシステムにおいて、OLT側では、Auto Discovery完了後に接続が可能となったONUのONU識別子を識別するONU識別部と、ONU識別子およびONU識別子に対応したONU設定値A1〜AN（NはONU設定項目数）の情報が予め格納されたONU管理データベース部と、前記ONU識別部で識別したONU識別子が前記ONU管理データベース部に登録されているかを確認し、登録されている場合に該ONU識別子に対応したONU設定値A1〜ANの情報を前記ONU管理データベース部から読み出しを行い、該ONU設定値A1〜ANの情報を用いてONU遠隔自動設定開始指示を行うとともに、ONU遠隔自動設定処理が正常終了した通知を受けた場合にONU認証指示を行い、ONU遠隔自動設定処理が異常終了した通知を受けた場合にONU認証指示を行わずに該ONUの自動設定を終了するように制御するONU設定制御部と、前記ONU遠隔自動設定開始指示によりONU遠隔自動設定処理を開始するとともに、ONU遠隔自動設定処理が終了した時に該処理結果を前記ONU設定制御部へ通知するONU遠隔自動設定部と、前記ONU認証指示によりONU認証を実施するONU認証処理部とを備え、OLT側から遠隔でONU設定値A1〜ANの自動設定を行うことを特徴とする。なお前記ONU設定制御部で該ONU識別子がONU管理データベース部に登録されていない場合は、該ONUの自動設定を終了する。
【００２０】
請求項４に記載のONU遠隔自動設定システムは、一つのOLTに一つ又は複数のONUが接続されるEPONシステムにおいて、OLT側では、Auto Discovery完了後に接続が可能となったONUのONU識別子を識別するONU識別部と、ONU識別子およびONU識別子に対応したONU設定値A1〜AN（NはONU設定項目数）の情報とONUサービス状態情報とが予め格納されたONU管理データベース部と、前記ONU識別部で識別したONU識別子が前記ONU管理データベース部に登録されているかを確認し、登録されている場合に該ONU識別子に対応したONU設定値A1〜ANの情報を前記ONU管理データベース部から読み出しを行い、該ONU設定値A1〜ANの情報を用いてONU遠隔自動設定開始指示を行うとともに、ONU遠隔自動設定処理が正常終了した通知を受けた場合に前記ONU管理データベースに格納された該ONUのONUサービス状態情報を「サービス中」に設定した後、ONU認証指示を行い、ONU遠隔自動設定処理が異常終了した通知を受けた場合に前記ONU管理データベースに格納された該ONUのONUサービス状態情報を確認し、該ONUサービス状態情報が「サービス中」の場合はONU認証指示を行い、「未サービス」の場合はONU認証指示を行わずに該ONUの自動設定を終了するように制御するONU設定制御部と、前記ONU遠隔自動設定開始指示によりONU遠隔自動設定処理を開始するとともに、ONU遠隔自動設定処理が終了した時に該処理結果を前記ONU設定制御部へ通知するONU遠隔自動設定部と、前記ONU認証指示によりONU認証を実施するONU認証処理部とを備え、OLT側から遠隔でONU設定値A1〜ANの自動設定を行うことを特徴とする。なお前記ONU設定制御部で該ONU識別子がONU管理データベース部に登録されていない場合は、該ONUの自動設定を終了する。
【発明の効果】
【００２１】
請求項１に記載の発明によれば、ユーザの加入サービスごとにONU設定値を変更する必要がある場合に、ユーザもしくはONU設置作業者が現地にてONU設定値を変更する必要がなくなる。これにより、ユーザによる不正なONU設定および、ユーザからの不正設定変更を防止するためにONUに特殊インタフェースもしくは特殊ソフトを搭載することによるONU価格上昇要因を排除することが可能となる。
またONU設置時にONUにOLTが接続された段階で自動的にONU設定変更がされ、一定時間経過後に通信が開始されるため、ONU設置作業者はオペレータとの連絡を取ることなくONU設置作業を終了することが可能となり、ONU設置作業時間の短縮および作業稼動の削減が可能となる。
【００２２】
請求項２に記載の発明によれば、請求項１に記載の発明の効果に加え、ONUサービス状態情報から既にサービスが提供されているONUかどうかを確認し、サービスが提供されているONUについてはONU遠隔自動設定処理が異常終了した場合にもONU認証処理を実施することにより、ユーザへのサービス提供の中断を防ぐことが可能となる。
【００２３】
請求項３に記載の発明によれば、ユーザの加入サービスごとにONU設定値を変更する必要がある場合に、ユーザもしくはONU設置作業者が現地にてONU設定値を変更する必要がなくなる。これにより、ユーザによる不正なONU設定および、ユーザからの不正設定変更を防止するためにONUに特殊インタフェースもしくは特殊ソフトを搭載することによるONU価格上昇要因を排除することが可能となる。
またONU設置時にONUにOLTが接続された段階で自動的にONU設定変更がされ、一定時間経過後に通信が開始されるため、ONU設置作業者はオペレータとの連絡を取ることなくONU設置作業を終了することが可能となり、ONU設置作業時間の短縮および作業稼動の削減が可能となる。
【００２４】
請求項４に記載の発明によれば、請求項３に記載の発明の効果に加え、ONUサービス状態情報から既にサービスが提供されているONUかどうかを確認し、サービスが提供されているONUについてはONU遠隔自動設定処理が異常終了した場合にもONU認証処理を実施することにより、ユーザへのサービス提供の中断を防ぐことが可能となる。
【発明を実施するための最良の形態】
【００２５】
次に本発明を実施するための最良の形態（以下、単に「実施形態」と称する）について説明する。なお、この実施形態により本発明が限定されるものではない。
【００２６】
本発明のONU遠隔自動設定方法に係る第１の実施形態について図５を用いて説明する。図５はONU遠隔自動設定を行う際のOLT-ONU間の制御シーケンスおよびOLT内部フローを示す図である。
【００２７】
本発明のONU遠隔自動設定方法は、一つのOLTに一つ又は複数のONUが接続されるEPONシステムにおいてOLT側から遠隔でONUの設定値を自動設定する方法であり、OLTでは、次の(1)〜(5)の各プロセスを順次実行することでONU設定値の自動設定を行う。
(1) 識別プロセス31では、Auto Discovery完了後に接続が可能となったONUのONU識別子を識別する。ONU識別子としては、Auto Discovery時の送受信フレームに格納されるONUの保持するONUのシリアル番号等のONU固有情報を用いることとなる。識別プロセス31で識別されたONU識別子は制御プロセス32に通知される。
(2) 制御プロセス32では、ONU識別子およびONU識別子に対応したONU設定値A1〜AN（NはONU設定項目数）の情報が予め格納されたONU管理データベースに、識別プロセス31で識別したONU識別子が登録されているかを確認し、登録されている場合に該ONU識別子に対応したONU設定値A1〜ANの情報を前記ONU管理データベースから読み出しを行い、該ONU設定値A1〜ANの情報を用いてONU遠隔自動設定開始指示を行う。また該ONU識別子がONU管理データベースに登録されていない場合は、以降の(3)〜(4)のプロセスを実行しないように制御し、該ONUの自動設定を終了する。
(3) 自動設定プロセス33では、前記ONU遠隔自動設定開始指示によりONU遠隔自動設定処理を開始し、ONU設定値A1からANまで順次ONUに設定するとともに、ONU設定値A1からANまでONUへの設定が終了した時に該処理結果を制御プロセス32へ通知する。ここでONU遠隔自動設定処理の詳細動作については特に規定しないこととする。
(4) 制御プロセス32では、自動設定プロセス33からONU遠隔自動設定処理が正常終了した通知を受けた場合に、認証プロセス34に対してONU認証指示を行い、ONU遠隔自動設定処理が異常終了した通知を受けた場合にONU認証指示を行わずに該ONUの自動設定を終了するように制御する。
(5) 認証プロセス34では前記ONU認証指示によりONU認証を実施する。
【００２８】
なお、前記ONU遠隔自動設定処理の終了については、全てのONU設定値を設定する前でも、例えばあるONU設定値の設定ができないような異常状態になった時点で終了する方法もある。
【００２９】
前記ONU遠隔自動設定処理が正常終了した場合には、認証プロセス34でONU認証処理を実施し、認証処理が正常に終了すればOLTとONU間は通信を開始することとなる。これにより、ONU設置作業者はオペレータに確認することなくONU設定の正常終了を確認可能となり、ONU設置作業時間の短縮および作業稼動の削減が可能となる。
【００３０】
また、前記ONU遠隔自動設定処理が異常終了した場合には、ONU認証処理を実施することなく本フローを終了する。これにより、ONU設定が異常状態では通信が開始されないため、ONU設置作業者はONU設置作業が完了していないことがわかる。さらに、一定時間経過しても通信が開始しなかった場合には、オペレータへの確認もしくはONUの交換等の故障対応処理を実施することとなる。
【００３１】
次に、ONU管理データベースの例を図10に示す。ONU管理データベースの中にはONU識別子と該ONU識別子に対応したONU設定項目の設定値情報が格納される。図10の例では、ONU設定項目は設定項目１から設定項目Nまでの複数個存在する。それぞれのONU設定項目について、ONU識別子ごとにONU設定値An（1≦n≦N、NはONU設定項目数）が登録される。図10では、ONU識別子“aaaaaaaa”のONUには、ONU設定項目1(ONU設定値A1)=A、ONU設定項目2(ONU設定値A2)=C、ONU設定項目3(ONU設定値A3)=F、・‥・、ONU設定項目N(ONU設定値AN)=Gという設定値が登録されており、ONU識別子“aaaaaaaa”のONUにはこれらの設定値を反映する必要がある。
【００３２】
次に、本発明のONU遠隔自動設定方法に係る第２の実施形態について図６を用いて説明する。図６はONU遠隔自動設定を行う際のOLT-ONU間の制御シーケンスおよびOLT内部フローを示す図である。
【００３３】
本発明に係る第２の実施形態は、前記第１の実施形態において、制御プロセス32でONU遠隔自動設定処理が正常に終了したかを判定するところまでは同一である。
制御プロセス32では、自動設定プロセス33からONU遠隔自動設定処理が正常終了した通知を受けた場合に前記ONU管理データベースに格納された該ONUのONUサービス状態情報を「サービス中」に設定するとともに認証プロセス34に対してONU認証指示を行う。認証プロセス34では前記ONU認証指示によりONU認証を実施する。ONU認証が正常に終了するとOLT-ONU間は通信を開始することとなる。
【００３４】
また制御プロセス32で自動設定プロセス33からONU遠隔自動設定処理が異常終了した通知を受けた場合には、前記ONU管理データベースに格納された該ONUのONUサービス状態情報を確認し、該ONUサービス状態情報が「サービス中」の場合は認証プロセス34に対してONU認証指示を行い、「未サービス」の場合はONU認証指示を行わずに該ONUの自動設定を終了するように制御する。
【００３５】
ONUサービス状態情報が「サービス中」の場合は、該ONUは一度遠隔自動設定が正常終了されたことを示しており、該ONUはサービス提供中である。また、サービス提供中のONUの設定値を変更する場合は、既にONUは設置されているためONU設置作業者は現地にいる必要はない。こめため、通信を開始しないことによりONU設置作業者にONU設定異常を認識させる必要がなくなる。その上、通信を開始しない場合は、今までサービスを受けていたユーザがサービスを受けられなくなるため、ユーザにとってもデメリットとなる。そこで、既にONUが設置されている場合はONU設定が異常となった場合でも通信を開始するとともに、ONU設置工事を伴う場合にONU設定が異常となった場合は通信を開始しないこととする。
【００３６】
次に、前記第２の実施形態で用いるONU管理データベースの例を図11に示す。ONU管理データベースの中にはONU識別子と該ONU識別子に対応したONU設定項目の設定値情報およびONUサービス状態情報が格納される。図11のONU管理データベースは図10のONU管理データベースにONUサービス状態情報を追加したものである。ONUサービス状態情報には「サービス中」と「未サービス」の２つの状態が存在する。なお、「サービス中」と「未サービス」と言うのはあくまで言葉の定義であり、２つの状態が存在することがわかるのであれば、必ずしもこの言葉である必要はない。ONU管理データベースに新たにONUを追加する場合には、ONUサービス状態情報は「未サービス」に設定することとなる。
【００３７】
次に、本発明のONU遠隔自動設定システムに係る構成について説明する。図７はONU遠隔自動設定システムにおけるOLTの機能ブロックを示すものであり、構成例を示す図である。
【００３８】
本発明のONU遠隔自動設定システムは、一つのOLTに一つ又は複数のONUが接続されるEPONシステムにおいて、OLT 20では、Auto Discovery完了後に接続が可能となったONU 10のONU識別子を識別するONU識別部21と、ONU識別子およびONU識別子に対応したONU設定値A1〜AN（NはONU設定項目数）の情報が予め格納されたONU管理データベース部22と、ONU識別部21で識別したONU識別子がONU管理データベース部22に登録されているかを確認し、登録されている場合に該ONU識別子に対応したONU設定値A1〜ANの情報をONU管理データベース部22から読み出しを行い、該ONU設定値A1〜ANの情報を用いてONU遠隔自動設定開始指示を行うとともに、ONU遠隔自動設定処理が正常終了した通知を受けた場合にONU認証指示を行い、ONU遠隔自動設定処理が異常終了した通知を受けた場合にONU認証指示を行わずに該ONUの自動設定を終了するように制御するONU設定制御部23と、前記ONU遠隔自動設定開始指示によりONU遠隔自動設定処理を開始するとともに、ONU遠隔自動設定処理が終了した時に該処理結果を前記ONU設定制御部へ通知するONU遠隔自動設定部24と、前記ONU認証指示によりONU認証を実施するONU認証処理部25とを備え、OLT側から遠隔でONU設定値A1〜ANの自動設定を行う。
【００３９】
図７の構成例に基づき、本発明のONU遠隔自動設定システムに係る第３の実施形態について図８を用いて説明する。図８はONU遠隔自動設定を行う際のOLT-ONU間の制御シーケンスおよびOLT内部フローを示す図である。
【００４０】
(a) ONU識別部21は、Auto Discovery完了後に接続が可能となったONUのONU識別子を識別する。ONU識別子としては、Auto Discovery時の送受信フレームに格納されるONUの保持するONUのシリアル番号等のONU固有情報を用いることとなる。ONU識別部21で識別されたONU識別子はONU設定制御部23に通知される。
(b) ONU設定制御部23は、ONU識別子およびONU識別子に対応したONU設定値A1〜AN（NはONU設定項目数）の情報が予め格納されたONU管理データベース部22に、ONU識別部21で識別したONU識別子が登録されているかを確認し、登録されている場合に該ONU識別子に対応したONU設定値A1〜ANの情報をONU管理データベース部22から読み出しを行い、該ONU設定値A1〜ANの情報を用いてONU遠隔自動設定開始指示を行う。また該ONU識別子がONU管理データベース部22に登録されていない場合は、該ONUの自動設定を終了する。
(c) ONU遠隔自動設定部24は、前記ONU遠隔自動設定開始指示によりONU遠隔自動設定処理を開始し、ONU設定値A1からANまで順次ONUに設定するとともに、ONU設定値A1からANまでONUへの設定が終了した時に該処理結果をONU設定制御部23へ通知する。ここでONU遠隔自動設定処理の詳細動作については特に規定しないこととする。
(d) ONU設定制御部23は、ONU遠隔自動設定部24からONU遠隔自動設定処理が正常に終了した通知を受けた場合にONU認証処理部25に対してONU認証指示を行い、ONU遠隔自動設定処理が異常終了した通知を受けた場合にONU認証指示を行わずに該ONUの自動設定を終了するように制御する。
(e) ONU認証処理部25では前記ONU認証指示によりONU認証を実施する。
【００４１】
なお、前記ONU遠隔自動設定処理の終了については、全てのONU設定値を設定する前でも、例えばあるONU設定値の設定ができないような異常状態になった時点で終了する方法もある。
【００４２】
前記ONU遠隔自動設定処理が正常終了した場合には、ONU認証処理部25でONU認証処理を実施し、認証処理が正常に終了すればOLTとONU間は通信を開始することとなる。これにより、ONU設置作業者はオペレータに確認することなくONU設定の正常終了を確認可能となり、ONU設置作業時間の短縮および作業稼動の削減が可能となる。
【００４３】
また、前記ONU遠隔自動設定処理が異常終了した場合には、ONU認証処理を実施することなく本フローを終了する。これにより、ONU設定が異常状態では通信が開始されないため、ONU設置作業者はONU設置作業が完了していないことがわかる。さらに、一定時間経過しても通信が開始しなかった場合には、オペレータへの確認もしくはONUの交換等の故障対応処理を実施することとなる。
【００４４】
次に、前記第３の実施形態のONU管理データベース部22について説明する。ONU管理データベース部22については図10で示した例と同じものを用いる。
【００４５】
次に、本発明のONU遠隔自動設定システムに係る第４の実施形態について図９を用いて説明する。図９はONU遠隔自動設定を行う際のOLT-ONU間の制御シーケンスおよびOLT内部フローを示す図である。
【００４６】
本発明に係る第４の実施形態は、前記第３の実施形態において、ONU設定制御部23でONU遠隔自動設定処理が正常に終了したかを判定するところまでは同一である。
ONU設定制御部23では、ONU遠隔自動設定部24からONU遠隔自動設定処理が正常終了した通知を受けた場合にONU管理データベース部22に格納された該ONUのONUサービス状態情報を「サービス中」に設定するとともに、ONU認証処理部25に対してONU認証指示を行う。ONU認証処理部25では前記ONU認証指示によりONU認証を実施する。ONU認証が正常に終了するとOLT-ONU間は通信を開始することとなる。
【００４７】
またONU設定制御部23でONU遠隔自動設定部24からONU遠隔自動設定処理が異常終了した通知を受けた場合には、ONU管理データベース部22に格納された該ONUのONUサービス状態情報を確認し、該ONUサービス状態情報が「サービス中」の場合はONU認証処理部25に対してONU認証指示を行い、「未サービス」の場合はONU認証指示を行わずに該ONUの自動設定を終了するように制御する。
【００４８】
ONUサービス状態情報が「サービス中」の場合は、該ONUは一度遠隔自動設定が正常終了されたことを示しており、該ONUはサービス提供中である。また、サービス提供中のONUの設定値を変更する場合は、既にONUは設置されているためONU設置作業者は現地にいる必要はない。こめため、通信を開始しないことによりONU設置作業者にONU設定異常を認識させる必要がなくなる。その上、通信を開始しない場合は、今までサービスを受けていたユーザがサービスを受けられなくなるため、ユーザにとってもデメリットとなる。そこで、既にONUが設置されている場合はONU設定が異常となった場合でも通信を開始するとともに、ONU設置工事を伴う場合にONU設定が異常となった場合は通信を開始しないこととする。
【００４９】
次に、前記第４の実施形態で用いるONU管理データベース部22の例を図11に示す。ONU管理データベース部22の中にはONU識別子と該ONU識別子に対応したONU設定項目の設定値情報およびONUサービス状態情報が格納される。図11のONU管理データベース部は図10のONU管理データベース部にONUサービス状態情報を追加したものである。ONUサービス状態情報には「サービス中」と「未サービス」の２つの状態が存在する。なお、「サービス中」と「未サービス」と言うのはあくまで言葉の定義であり、２つの状態が存在することがわかるのであれば、必ずしもこの言葉である必要はない。ONU管理データベース部に新たにONUを追加する場合には、ONUサービス状態情報は「未サービス」に設定することとなる。
【図面の簡単な説明】
【００５０】
【図１】EPONシステムの接続構成を示す概要図である。
【図２】Auto DiscoveryによるONU接続から通信開始までの一般的なOLT-ONU間の制御シーケンスを示す図である。
【図３】Auto DiscoveryによるONU接続からONU認証までのOLT-ONU間の制御シーケンスを示す図である。
【図４】自律的にOLTがONU設定値を変更する場合の監視制御端末-OLT間およびOLT-ONU間の制御シーケンスを示す図である。
【図５】本発明に係る第１の実施形態を説明する図であり、ONU遠隔自動設定のOLT-ONU間の制御シーケンスおよびOLT内部フローを示す図である。
【図６】本発明に係る第２の実施形態を説明する図であり、ONU遠隔自動設定のOLT-ONU間の制御シーケンスおよびOLT内部フローを示す図である。
【図７】本発明のONU遠隔自動設定システムに係る構成を説明する図として、ONU遠隔自動設定システムにおけるOLTの機能ブロックを示すものであり、構成例を示す図である。
【図８】本発明に係る第３の実施形態を説明する図であり、ONU遠隔自動設定のOLT-ONU間の制御シーケンスおよびOLT内部フローを示す図である。
【図９】本発明に係る第４の実施形態を説明する図であり、ONU遠隔自動設定のOLT-ONU間の制御シーケンスおよびOLT内部フローを示す図である。
【図１０】本発明に係るONU管理データベースの例を示す図である。
【図１１】本発明に係るONU管理データベースの例を示す図である。
【図１２】ONU遠隔自動設定のOLT-ONU間の制御シーケンスおよびOLT内部フローを示す図である。
【図１３】サービス提供中にONU設定値を変更する際の監視制御端末-OLT間およびOLT-ONU間の制御シーケンスおよびOLT内部フローを示す図である。
【符号の説明】
【００５１】
１  OLT
2a〜2c  ONU
３  光スプリッタ
４  上位ネットワーク
5a〜5c  ユーザ端末
６  監視制御端末
１０  ONU  
２０  OLT  
２１  ONU識別部
２２  ONU管理データベース部  
２３  ONU設定制御部  
２４  ONU遠隔自動設定部  
２５  ONU認証処理部
３１  識別プロセス
３２  制御プロセス
３３  自動設定プロセス
３４  認証プロセス
【図１】
2008118296.tif 000003
【図２】
2008118296.tif 000004
【図３】
2008118296.tif 000005
【図４】
2008118296.tif 000006
【図５】
2008118296.tif 000007
【図６】
2008118296.tif 000008
【図７】
2008118296.tif 000009
【図８】
2008118296.tif 000010
【図９】
2008118296.tif 000011
【図１０】
2008118296.tif 000012
【図１１】
2008118296.tif 000013
【図１２】
2008118296.tif 000014
【図１３】
2008118296.tif 000015